(57)【要約】【課題】貯蔵室の前面開口を閉塞するように併置された左右の扉間の上下の段差を簡単な構成で解消し、組立作業性を改善するとともに外観意匠を良好に保持することができる冷蔵庫を提供する。【解決手段】貯蔵室の前面開口を併置した左右扉７、８で閉塞する冷蔵庫１において、前記左右扉の相対向する突き合わせ部位の近傍に左右扉双方の高さ位置を合致させる保持部12、13を設け、前記前面開口を左右扉で閉塞した際には、前記保持部の係合によって左右扉の上下高さ位置を合致させるようにしたことを特徴とする。【選択図】  図２
2010107067.tif 000002
【特許請求の範囲】
【請求項１】
貯蔵室の前面開口を併置した左右扉で閉塞する冷蔵庫において、前記左右扉の相対向する突き合わせ部位の近傍に左右扉双方の高さ位置を合致させる保持部を設け、前記前面開口を左右扉で閉塞した際には、前記保持部の係合によって左右扉の上下高さ位置を合致させるようにしたことを特徴とする冷蔵庫。
【請求項２】
左右扉を断熱箱本体の上部位置に配設した貯蔵室の前面開口を閉塞する観音開き式の扉とし、保持部を前記左右扉の反枢支側の突き合わせ部位の近傍に設けことを特徴とする請求項１記載の冷蔵庫。
【請求項３】
左右扉の反枢支側の突き合わせ部位における対向側面部の一方の扉には係合凸部を形成し、他方の扉には前記係合凸部に係合してこれを受けるガイド受け部を形成し、前面開口を左右扉で閉塞した際には、前記ガイド受け部に係合凸部が係合して左右扉の上下高さ位置を合致させるようにしたことを特徴とする請求項２記載の冷蔵庫。
【請求項４】
係合凸部とガイド受け部とは、左右扉の上部に設けたことを特徴とする請求項３記載の冷蔵庫。
【請求項５】
各左右扉の上下の枢支部のうち少なくとも下方側の枢支部を形成する枢支ピンに前記扉の重量を受けるコイルバネを配設したことを特徴とする請求項２または３記載の冷蔵庫。
【請求項６】
観音開き式の左右扉は、最も収納量の大きい冷蔵室扉であることを特徴とする請求項２または３記載の冷蔵庫。
【発明の詳細な説明】
【技術分野】
【０００１】
本発明は、本体上部に設けた貯蔵室の前面開口を併置した左右扉で閉塞した冷蔵庫に関する。
【背景技術】
【０００２】
家庭用の大容量冷蔵庫は、多様なユーザニーズに対応すべく冷却貯蔵温度の多様化とともに貯蔵室ごとに多くの扉を設けた冷蔵庫が商品化されており、これまで、冷蔵室に対して冷凍室を上部に配置したトップフリーザタイプ、上部の冷蔵室と下部の野菜室との間に冷凍室を配置したミドルフリーザタイプ、冷凍室を最下部に配置したボトムフリーザタイプ、上部の冷蔵室の下方に縦長の冷凍室と野菜室を併置したタイプ、冷凍室と冷蔵室とを左右に併置したサイドバイサイドタイプなど様々な形態が商品化されてきた。
【０００３】
このような商品環境の中で、近年では、使い勝手を考慮して、使用頻度が高く収納容積の最も大きい冷蔵室を観音開き式の扉として最上段に設置し、その下方に製氷室や温度切替室、そしてその下方に野菜室、最下部に冷凍室を設置したタイプが主流になっている（例えば、特許文献１参照）。
【特許文献１】特開２００６−１３８６０８号公報
【発明の開示】
【発明が解決しようとする課題】
【０００４】
しかしながら、近年の冷蔵庫における前記観音開き式の扉では、左右の各扉が大きく収納量も多くなっていることから重量も重くなっており、本体両側に各扉の外側をヒンジで枢支している構成では、扉の重量とともに断熱箱本体の剛性強度、あるいは取り付け作業時のばらつきによって、左右の扉の反枢支側の突き合わせ部位に上下方向の段差を生じることが多い。この段差によって、閉扉時には、左右扉間で高さが合致するようにデザインされているハンドルやパネル意匠が左右で上下にずれることになり、外観的に見苦しくなることから、組立製造時に前記段差のなくすための調整作業が煩雑になり、また、出荷後、ユーザーからの苦情が多くなる問題があった。
【０００５】
本発明は、上記の点を考慮してなされたものであり、特に、貯蔵室の前面開口を閉塞するように併置された左右の扉間の上下の段差を簡単な構成で解消し、組立作業性を改善するとともに外観意匠を良好に保持することができる冷蔵庫を提供することを目的とする。
【課題を解決するための手段】
【０００６】
上記課題を解決するため、本発明は、貯蔵室の前面開口を併置した左右扉で閉塞する冷蔵庫において、前記左右扉の相対向する突き合わせ部位の近傍に左右扉双方の高さ位置を合致させる保持部を設け、前記前面開口を左右扉で閉塞した際には、前記保持部の係合によって左右扉の上下高さ位置を合致させるようにしたことを特徴とするものである。
【発明の効果】
【０００７】
本発明の構成によれば、併置した左右扉を採用した貯蔵室の使い勝手の良さを保持したまま、簡単な構成で組立作業性よく左右扉の上下の段差の発生を抑制し、外観意匠を良好に保持することができる。
【発明を実施するための最良の形態】
【０００８】
以下、本発明の１実施形態につき図面を参照して説明する。図１に外観正面図を示す冷蔵庫（１）は、外箱と内箱との間に発泡断熱材を充填して断熱箱本体（２）を形成し、最上部に最も収納容積が大きく使用頻度が多い冷蔵室（３）を配設し、その下方に自動製氷装置を備えた製氷室（４）と室内を複数の温度帯に変更することができる温度切替室（５）を左右に併置し、さらにその下部に野菜室（６）を設け、図示しない最下部には冷凍室を設けている。
【０００９】
前記冷蔵室（３）の前面開口は観音開き式のフレンチドアとした左右の扉（７）（８）によって閉塞するとともに、図示しない室内には複数段の載置棚を設け、下方部には前記製氷室（４）内に設けた製氷皿への給水タンクや低温室を区画形成している。
【００１０】
冷蔵室（３）の下方部に設けた前記各貯蔵室は、本体側に設けたレール機構によって、前面開口を閉塞する扉の内側に取り付けた支持枠とともに収納容器を引き出し自在に保持する引き出し式としている。また、本体内の背面部には、冷蔵用冷却器や冷凍用冷却器、および各冷却器に対応するファンを配設しており、冷却運転時には、前記冷蔵室（６）や他の貯蔵室内は、前記各冷却器で生成された冷気によって、それぞれが所定温度に冷却制御される。
【００１１】
前記冷蔵室（３）の前面開口を開閉自在に閉塞している観音開き式の前記左扉（７）と右扉（８）は、前記断熱箱本体（２）の両側縁部の上下位置に固着したヒンジ（９）により、それぞれの外側縁の上下部を枢支して回動自在に取り付けられており、扉内側の周縁部にはガスケット（10）（11）を固着することで、貯蔵室内側と左右扉（７）（８）周縁との隙間からの熱漏洩を防いでいる。
【００１２】
しかして、前記冷蔵室（３）を観音開き式の扉を少し開扉した状態である図２に示すように、前記左右扉（７）（８）の反枢支側の突き合わせ部位において対向する側面部の一方の扉、本実施例では、右扉（８）の上部には、係合凸部となる突出ピン（12）を扉の外周側縁を形成している扉キャップ（８ａ）と一体に形成しており、他方の扉である左扉（７）の扉キャップ（７ａ）上部の前記突出ピン（12）に対向する部位には、閉扉時に突出ピン（12）に係合してこれを受ける受け溝（13ａ）を形成したガイド受け部（13）を扉キャップ（７ａ）と一体成形により突出させている。
【００１３】
そして、前記突出ピン（12）とガイド受け部（13）との係合状態を示す上面図である図３、およびその正面図である図４、さらに要部の側面図である図５に示すように、このガイド受け部（13）には、突出ピン（12）の案内部となるように、前方および後方の双方からの進入側を広くした傾斜部（13ｂ）（13ｃ）を形成して受け溝（13ａ）の前後を拡開させ、双方の扉（７）（８）が完全に閉塞した状態では、前記突出ピン（12）が受け溝（13ａ）内に嵌入するように受け溝（13ａ）との上下の隙間を小さくしてその中心位置を合わせるように規制することで、左右扉（７）（８）の上下の高さ位置を合致させるように構成している。
【００１４】
前記左右扉（７）（８）の突き合わせ部位における双方の間隙寸法は通常８〜１０ｍｍであることから、前記突出ピン（12）およびガイド受け部（13）のそれぞれの扉側面から対向側への突出長は、前記間隙寸法以下に設定する。
【００１５】
上記構成によって、前面開口を左右扉（７）（８）で閉塞した際、例えば、閉扉状態の左扉（７）に対して右扉（８）を閉じるときには、左扉（７）のガイド受け部（13）の傾斜部（13ｂ）をガイドにしてその受け溝（13ａ）に右扉（８）の突出ピン（12）が嵌入して係合し、逆に、閉扉状態の右扉（８）に対して左扉（７）を閉じるときには、左扉（７）の傾斜部（13ｃ）がガイドとなって右扉（８）の突出ピン（12）に係合するものであり、これによって反枢支側の突き合わせ部位における左扉（７）に対して右扉（８）の高さ位置が、図４の２点鎖線で示すように、下方にずれている場合でも、係合により、相互に馴染み合い上下移動して矯正され、きわめて小さいズレのみで合致させることができるものである。
【００１６】
しかも、構造的には、前記突出ピン（12）やガイド受け部（13）は、扉構成部品である扉キャップ（７ａ）（８ａ）と一体成形により容易に形成できるものであり、構成が簡単で部品数が増加することがないので安価であるととともに、双方の係合により、左右扉（７）（８）間の上下位置にに多少の段差やずれがあっても確実に矯正して上下の位置を合致させることができるため良好な外観を保持できる。
【００１７】
このとき、前記突出ピン（12）とガイド受け部（13）の設置箇所は、前述のように、左右扉（７）（８）の反枢支側の突き合わせ部位における上方部としており、通常使用者の目線より上方に前記設置箇所が位置することになるため、視野に入りにくく外観面での違和感を防ぐことができるものであり、さらに扉側壁面の奥方の位置に形成することで、より目立たなくすることができる。
【００１８】
また、前述のように、左右扉（７）（８）の突き合わせ部位の間隙は小さいことから、前記ガイド受け部（13）は前記突き合わせ部位に突出させることなく、特に図示しないが、扉側壁表面に凹溝（13′）として設けるようにし、閉扉の際には、右扉（８）の突出ピン（12）と左扉（７）の前記凹溝（13′）とを係合させることで左右扉（７）（８）の上下位置を合わせるようにしてもよい。
【００１９】
したがって、前記構成の場合は、左右いずれかの扉が閉塞状態であっても突出ピン（12）と凹溝（13′）との係合関係を支障なく確保するため、前記凹溝（13′）は、前記実施例の場合と同様に、左扉（７）の外周側縁を形成している扉キャップ（７ａ）の扉の厚み方向に水平に亙って前後で開口させる形状にする必要がある。
【００２０】
図６は、本発明の変形例を示すものであって、前記実施例と同じ構成の突出ピン（12）およびガイド受け部（13）を形成した左右の扉（７）（８）の各外側縁の上下を枢支する前記ヒンジ（９）との係合部分に、圧縮バネであるコイルバネ（15）をそれぞれ配設したものである。前記各コイルバネ（15）は、枢支ピン（９ａ）の外周に嵌入し、前記左右扉（７）（８）のそれぞれの枢支孔（16）の周縁部に当接するように設けられており、左扉（７）あるいは右扉（８）には、上下からバネ力が作用するように形成する。
【００２１】
上記構成により、左右扉（７）（８）の上方の枢支部には、コイルバネ（15）の押圧力が上方向から作用し、下方の枢支部は下方から押し上げられることにより、反枢支側の突き合わせ部位に上下の段差が存在している状態で、閉扉の際に、突出ピン（12）とガイド受け部（13）とが係合した場合には、相互に上下方向への力が発生するため、左右の扉（７）（８）の上下移動をよりスムーズにおこない、左右での段差を容易に解消させることができる。
【００２２】
前記コイルバネ（15）は、左右扉（７）（８）の重量を支える力を発揮させるためのものであることから、それなりのバネ力を保有させるとともに、重量物である扉を支える下方側のヒンジ（９）部のみに設けるようにしてもよい。
【００２３】
なお、前記実施例における突出ピン（12）とガイド受け部（13）との関係は左右逆でもよいことは言うまでもなく、また、左右扉双方の高さ位置を合致させる保持部としては、左右扉（７）（８）の反枢支側の突き合わせ部位に設けずとも、突き合わせ部位の近傍であればよく、例えば、左右扉（７）（８）の突き合わせ部位の下方における本体（２）前面開口の仕切壁前面から双方の扉下面を受ける保持部を前方に突出させるようにしてもよい。
【００２４】
また、上記各実施例においては、観音開き式の左右扉を、最も収納量の大きい冷蔵室（３）の扉に適用した例について説明したが、他の貯蔵室扉にも適用できることはいうまでもない。
【００２５】
さらに、左右の扉が観音開き式でなくてもよいものであり、例えば、冷蔵室（３）下方に引き出し式で併置された前記製氷室（４）と温度切替室（５）の双方の扉間の突き合わせ部位に前記実施例と同様の保持係合構成を採用すれば、引き出し式扉であっても閉扉時における左右扉間の段差を抑制できるものであり、前記冷蔵室（３）の観音開き式扉とともに採用すれば、全体として左右扉間に上下の段差がなく品位の高い外観を有する冷蔵庫を得ることができる。
【図面の簡単な説明】
【００２６】
【図１】本発明の１実施形態を示す冷蔵庫の正面図である。
【図２】図１における冷蔵室の観音開き式扉を少し開扉した状態を示す斜視図である。
【図３】図２の冷蔵室扉の要部の上面図である。
【図４】図３の正面図である。
【図５】図４の要部の側面図である。
【図６】本発明の変形例を示す冷蔵室扉部分の斜視図である。
【符号の説明】
【００２７】
１  冷蔵庫本体            ２  断熱箱本体            ３  冷蔵室
４  製氷室                ５  温度切替室            ６  野菜室
７  左扉                  ８  右扉                  ７ａ、８ａ  扉キャップ
９  ヒンジ                ９ａ  枢支ピン            10、11  ガスケット
12  突出ピン              13  ガイド受け部          13ａ  受け溝
13ｂ、13ｃ  傾斜部        15  コイルバネ            16  枢支孔
【図１】
2010107067.tif 000003
【図２】
2010107067.tif 000004
【図３】
2010107067.tif 000005
【図４】
2010107067.tif 000006
【図５】
2010107067.tif 000007
【図６】
2010107067.tif 000008